(57)【要約】  本発明は、マルチメディア・ブロードキャスト・マルチキャスト・サービス受信状況メッセージを送信する方法を提案し、端末は、無線リソース制御メッセージを基地局から受信し、無線リソース制御メッセージが所定の条件を満たすかどうかを判定し、無線リソース制御メッセージが所定の条件を満たす場合、端末は、マルチメディア・ブロードキャスト・マルチキャスト・サービス受信状況メッセージを基地局へ送信し、マルチメディア・ブロードキャスト・マルチキャスト・サービス受信状況メッセージは、端末によって受信されているマルチメディア・ブロードキャスト・マルチキャスト・サービスを識別するために使用される。本発明の技術的解決策によれば、基地局は、端末によって送信された、端末側の少なくとも１つのマルチメディア・ブロードキャスト・マルチキャスト・サービスの受信状況メッセージを取得して、それにより、稼働中のマルチメディア・ブロードキャスト・マルチキャスト・サービスのブロードキャストまたはマルチキャスト受信ユーザの数をカウントし、他の関連処理を行うことができる。
2013533684.tif 000002
【特許請求の範囲】
【請求項１】
無線通信ネットワークの端末において、マルチメディア・ブロードキャスト・マルチキャスト・サービス受信状況メッセージを送信する方法であって、
Ａ．無線リソース制御メッセージを基地局から受信するステップと、
Ｂ．前記無線リソース制御メッセージが所定の条件を満たすかどうかを判定するステップと、
Ｃ．前記無線リソース制御メッセージが前記所定の条件を満たす場合、前記マルチメディア・ブロードキャスト・マルチキャスト・サービス受信状況メッセージを前記基地局へ送信するステップとを備え、
前記マルチメディア・ブロードキャスト・マルチキャスト・サービス受信状況メッセージは、前記端末によって受信されているマルチメディア・ブロードキャスト・マルチキャスト・サービスを識別するために使用される、方法。
【請求項２】
前記所定の条件は、
前記無線リソース制御メッセージは、前記端末が電源をオンにされた後、初めて受信されるか、または、前記端末が新しいセルへハンドオーバされるとき、新しい基地局から初めて受信され、かつ、前記無線リソース制御メッセージ内の指示情報は、前記端末が前記マルチメディア・ブロードキャスト・マルチキャスト・サービス受信状況メッセージを送信することを必要とされることを示すことを備える、請求項１に記載の方法。
【請求項３】
前記所定の条件は、
前記無線リソース制御メッセージ内の指示情報は、前記端末が前記マルチメディア・ブロードキャスト・マルチキャスト・サービス受信状況メッセージを送信することを必要とされることを示し、かつ、以前に受信された無線リソース制御メッセージ内の指示情報は、前記端末がマルチメディア・ブロードキャスト・マルチキャスト・サービス受信状況メッセージを送信することを必要とされないことを示すことを備える、請求項１に記載の方法。
【請求項４】
前記所定の条件は、
前記無線リソース制御メッセージは、指示情報を備え、かつ、前記指示情報は、前記端末が前記マルチメディア・ブロードキャスト・マルチキャスト・サービス受信状況メッセージを送信することを必要とされることを示し、かつ、以前に受信された無線リソース制御メッセージは、指示情報を備えていないことを備える、請求項１に記載の方法。
【請求項５】
前記無線リソース制御メッセージは、マルチキャスト・ブロードキャスト単一周波数ネットワーク・エリア構成メッセージであり、前記ステップＡは、
前記マルチキャスト・ブロードキャスト単一周波数ネットワーク・エリア構成メッセージを前記基地局から、マルチキャスト制御チャネルを介して受信するステップをさらに備える、請求項２乃至４のいずれか１項に記載の方法。
【請求項６】
前記マルチキャスト・ブロードキャスト単一周波数ネットワーク・エリア構成メッセージ内の前記指示情報は、少なくとも１つのマルチメディア・ブロードキャスト・マルチキャスト・サービスに対応するセッション識別子を備える、請求項５に記載の方法。
【請求項７】
無線通信ネットワークの基地局において、マルチメディア・ブロードキャスト・マルチキャスト・サービス受信状況メッセージの送信を要求する方法であって、
Ｉ．無線リソース制御メッセージを端末へ送信するステップであって、前記無線リソース制御メッセージは、前記端末が受信状況を送信することを必要とする、少なくとも１つのマルチメディア・ブロードキャスト・マルチキャスト・サービスを識別するための指示情報を備えるステップを備える、方法。
【請求項８】
前記ステップＩの後に、前記方法は、
ＩＩ．マルチメディア・ブロードキャスト・マルチキャスト・サービス受信状況メッセージを前記端末から受信するステップをさらに備え、
前記マルチメディア・ブロードキャスト・マルチキャスト・サービス受信状況メッセージは、前記端末によって受信されているマルチメディア・ブロードキャスト・マルチキャスト・サービスを識別するために使用される、請求項７に記載の方法。
【請求項９】
前記マルチメディア・ブロードキャスト・マルチキャスト・サービス受信状況メッセージは、前記端末によって受信されている前記マルチメディア・ブロードキャスト・マルチキャスト・サービスのセッション識別子を備えて、前記対応するマルチメディア・ブロードキャスト・マルチキャスト・サービスを識別するようにする、請求項８に記載の方法。
【請求項１０】
前記無線リソース制御メッセージは、マルチキャスト・ブロードキャスト単一周波数ネットワーク・エリア構成メッセージであり、前記ステップＩは、
前記マルチキャスト・ブロードキャスト単一周波数ネットワーク・エリア構成メッセージを前記端末へ、マルチキャスト制御チャネルを介して送信するステップをさらに備える、請求項８または９に記載の方法。
【請求項１１】
前記マルチキャスト・ブロードキャスト単一周波数ネットワーク・エリア構成メッセージ内の前記指示情報は、前記少なくとも１つのマルチメディア・ブロードキャスト・マルチキャスト・サービスに対応するセッション識別子を備える、請求項１０に記載の方法。
【請求項１２】
無線通信ネットワークの端末における、マルチメディア・ブロードキャスト・マルチキャスト・サービス受信状況メッセージを送信するための装置であって、
無線リソース制御メッセージを基地局から受信するように構成された、無線リソース制御メッセージ受信器と、
前記無線リソース制御メッセージが所定の条件を満たすかどうかを判定するように構成された、所定条件判定モジュールと、
前記無線リソース制御メッセージが前記所定の条件を満たすとき、前記マルチメディア・ブロードキャスト・マルチキャスト・サービス受信状況メッセージを前記基地局へ送信するように構成された、マルチメディア・ブロードキャスト・マルチキャスト・サービス受信状況メッセージ送信器とを備え、
前記マルチメディア・ブロードキャスト・マルチキャスト・サービス受信状況メッセージは、前記端末によって受信されているマルチメディア・ブロードキャスト・マルチキャスト・サービスを識別するために使用される、装置。
【請求項１３】
前記所定の条件は、
−  前記無線リソース制御メッセージは、前記端末が電源をオンにされた後、初めて受信されるか、または、前記端末が新しいセルへハンドオーバされるとき、新しい基地局から初めて受信され、かつ、前記無線リソース制御メッセージ内の指示情報は、前記端末が前記マルチメディア・ブロードキャスト・マルチキャスト・サービス受信状況メッセージを送信することを必要とされることを示すこと、
−  前記無線リソース制御メッセージ内の指示情報は、前記端末が前記マルチメディア・ブロードキャスト・マルチキャスト・サービス受信状況メッセージを送信することを必要とされることを示し、かつ、以前に受信された無線リソース制御メッセージ内の指示情報は、前記端末がマルチメディア・ブロードキャスト・マルチキャスト・サービス受信状況メッセージを送信することを必要とされないことを示すこと、
−  前記無線リソース制御メッセージは、指示情報を備え、かつ、前記指示情報は、前記端末が前記マルチメディア・ブロードキャスト・マルチキャスト・サービス受信状況メッセージを送信することを必要とされることを示し、かつ、以前に受信された無線リソース制御メッセージは、指示情報を備えていないこと
のうち、いずれか１つを備える、請求項１２に記載の装置。
【請求項１４】
無線通信ネットワークの基地局における、マルチメディア・ブロードキャスト・マルチキャスト・サービス受信状況メッセージの送信を要求するための装置であって、
無線リソース制御メッセージを端末へ送信するように構成された、無線リソース制御メッセージ送信器であって、前記無線リソース制御メッセージは、前記端末が受信状況を送信することを必要とする、少なくとも１つのマルチメディア・ブロードキャスト・マルチキャスト・サービスを識別するための指示情報を備える、無線リソース制御メッセージ送信器を備える、装置。
【請求項１５】
前記マルチメディア・ブロードキャスト・マルチキャスト・サービス受信状況メッセージを前記端末から受信するように構成された、マルチメディア・ブロードキャスト・マルチキャスト・サービス受信状況メッセージ受信器をさらに備え、
前記マルチメディア・ブロードキャスト・マルチキャスト・サービス受信状況メッセージは、前記端末によって受信されているマルチメディア・ブロードキャスト・マルチキャスト・サービスを識別するために使用される、請求項１４に記載の装置。
【発明の詳細な説明】
【技術分野】
【０００１】
本開示は、無線通信ネットワーク・サービスに関し、詳細には、通信ネットワーク内のマルチメディア・ブロードキャスト・マルチキャスト・サービスの受信状況メッセージを送信するための方法および装置に関する。
【背景技術】
【０００２】
マルチメディア・ブロードキャスト・マルチキャスト・サービス（ＭＢＭＳ）は、第３世代モバイル通信の分野における携帯電話テレビ・サービスの技術的基礎である。
【０００３】
ＭＢＭＳは、マルチメディア・ブロードキャスト・サービスおよびマルチキャスト・サービスの２つのサービス・パターンをサポートし、マルチメディア・ビデオ情報をすべてのユーザへ直接ブロードキャストするか、または、視聴のために有料の加入者のグループへ送信することができる。ＭＢＭＳは、オペレータによるマルチメディア広告、無料および有料のテレビ・チャネル、大容量カラー・メッセージングなどの多数の商用アプリケーションの展開を支援することができる。オペレータは、低コストのネットワーク展開で、携帯電話テレビ・サービスを展開することができる。
【０００４】
容量に関して、ＭＢＭＳは、ポイント・ツー・マルチポイント・マルチメディア送信の送信機構、および、「一度送信、何度も変更」のサービス・パターンを提供し、リソースの消費は、増え続けるユーザ数とは無関係であり、それにより、３Ｇネットワークの不足しているエア・インタフェース・リソースおよび他の送信リソースを節約するため、かつ、モバイルネットワークの不十分な容量を回避するための、基本的な解決策を提供する。
【０００５】
容量およびコストの点におけるＭＢＭＳの利点は、増え続けるユーザ数と共により明らかになるものであり、マルチキャスト・ユーザ数が少ないか、または、マルチキャスト・ユーザがいないとき、専用チャネルをユーザに割り振ることができ、または、マルチキャスト・サービス・チャネルをネットワーク内で柔軟に使用禁止にすることができる。しかし、稼働中のＭＢＭＳのブロードキャストまたはマルチキャスト・ユーザの数をＭＢＭＳがカウントするための十分な技術的解決策が、欠けている。
【発明の概要】
【発明が解決しようとする課題】
【０００６】
従来技術の前述の欠点に鑑みて、本発明は、通信ネットワーク内のマルチメディア・ブロードキャスト・マルチキャスト・サービスの受信状況を送信して、稼働中のＭＢＭＳのブロードキャストまたはマルチキャスト受信ユーザの数をカウントするようにする方法、および、そのための対応する装置を提案する。
【課題を解決するための手段】
【０００７】
本発明の一実施形態によれば、無線通信ネットワークの端末において、マルチメディア・ブロードキャスト・マルチキャスト・サービス受信状況メッセージを送信する方法が提供され、この方法は、無線リソース制御メッセージを基地局から受信するステップと、無線リソース制御メッセージが所定の条件を満たすかどうかを判定するステップと、無線リソース制御メッセージが所定の条件を満たす場合、マルチメディア・ブロードキャスト・マルチキャスト・サービス受信状況メッセージを基地局へ送信するステップとを備え、マルチメディア・ブロードキャスト・マルチキャスト・サービス受信状況メッセージは、端末によって受信されているマルチメディア・ブロードキャスト・マルチキャスト・サービスを識別するために使用され、受信されているマルチメディア・ブロードキャスト・マルチキャスト・サービスの数は、１つまたは複数であってもよい。
【０００８】
任意選択で、無線リソース制御メッセージが所定の条件を満たすかどうかを判定するステップにおける所定の条件は、
−  無線リソース制御メッセージは、端末が電源をオンにされた後、初めて受信されるか、または、端末が新しいセルへハンドオーバされるとき、新しい基地局から初めて受信され、かつ、無線リソース制御メッセージ内の指示情報は、端末がマルチメディア・ブロードキャスト・マルチキャスト・サービス受信状況メッセージを送信することを必要とされることを示すこと、
−  無線リソース制御メッセージ内の指示情報は、端末がマルチメディア・ブロードキャスト・マルチキャスト・サービス受信状況メッセージを送信することを必要とされることを示し、かつ、以前に受信された無線リソース制御メッセージ内の指示情報は、端末がマルチメディア・ブロードキャスト・マルチキャスト・サービス受信状況メッセージを送信することを必要とされないことを示すこと、および
−  無線リソース制御メッセージは、指示情報を備え、かつ、指示情報は、端末がマルチメディア・ブロードキャスト・マルチキャスト・サービス受信状況メッセージを送信することを必要とされることを示し、かつ、以前に受信された無線リソース制御メッセージは、指示情報を備えていないこと
のうち、少なくともいずれか１つを備える。
【０００９】
本発明の別の実施形態によれば、無線通信ネットワークの基地局において、マルチメディア・ブロードキャスト・マルチキャスト・サービス受信状況メッセージの送信を要求する方法が提供され、この方法は、無線リソース制御メッセージを端末へ送信するステップであって、無線リソース制御メッセージは、端末が受信状況を送信することを必要とする、少なくとも１つのマルチメディア・ブロードキャスト・マルチキャスト・サービスを識別するための指示情報を備えるステップを備える。
【００１０】
任意選択で、マルチメディア・ブロードキャスト・マルチキャスト・サービス受信状況メッセージの送信を要求する方法は、マルチメディア・ブロードキャスト・マルチキャスト・サービス受信状況メッセージを端末から受信するステップをさらに備え、マルチメディア・ブロードキャスト・マルチキャスト・サービス受信状況メッセージは、端末によって受信されているマルチメディア・ブロードキャスト・マルチキャスト・サービスを識別するために使用される。
【００１１】
本発明の別の実施形態によれば、無線通信ネットワークの端末における、マルチメディア・ブロードキャスト・マルチキャスト・サービス受信状況メッセージを送信するための装置が提供され、この装置は、無線リソース制御メッセージを基地局から受信するように構成された、無線リソース制御メッセージ受信器と、無線リソース制御メッセージが所定の条件を満たすかどうかを判定するように構成された、所定条件判定モジュールと、無線リソース制御メッセージが所定の条件を満たすとき、マルチメディア・ブロードキャスト・マルチキャスト・サービス受信状況メッセージを基地局へ送信するように構成された、マルチメディア・ブロードキャスト・マルチキャスト・サービス受信状況メッセージ送信器とを備え、マルチメディア・ブロードキャスト・マルチキャスト・サービス受信状況メッセージは、端末によって受信されているマルチメディア・ブロードキャスト・マルチキャスト・サービスを識別するために使用され、受信されているマルチメディア・ブロードキャスト・マルチキャスト・サービスの数は、１つまたは複数であってもよい。
【００１２】
任意選択で、マルチメディア・ブロードキャスト・マルチキャスト・サービス受信状況メッセージを送信するための装置内の所定条件判定モジュールが従う所定の条件は、
−  無線リソース制御メッセージは、端末が電源をオンにされた後、初めて受信されるか、または、端末が新しいセルへハンドオーバされるとき、新しい基地局から初めて受信され、かつ、無線リソース制御メッセージ内の指示情報は、端末がマルチメディア・ブロードキャスト・マルチキャスト・サービス受信状況メッセージを送信することを必要とされることを示すこと、
−  無線リソース制御メッセージ内の指示情報は、端末がマルチメディア・ブロードキャスト・マルチキャスト・サービス受信状況メッセージを送信することを必要とされることを示し、かつ、以前に受信された無線リソース制御メッセージ内の指示情報は、端末がマルチメディア・ブロードキャスト・マルチキャスト・サービス受信状況メッセージを送信することを必要とされないことを示すこと、および
−  無線リソース制御メッセージは、指示情報を備え、かつ、指示情報は、端末がマルチメディア・ブロードキャスト・マルチキャスト・サービス受信状況メッセージを送信することを必要とされることを示し、かつ、以前に受信された無線リソース制御メッセージは、指示情報を備えていないこと
のうち、少なくともいずれか１つを含む。
【００１３】
本発明の別の実施形態によれば、無線通信ネットワークの基地局における、マルチメディア・ブロードキャスト・マルチキャスト・サービス受信状況メッセージの送信を要求するための装置が提供され、この装置は、無線リソース制御メッセージを端末へ送信するように構成された、無線リソース制御メッセージ送信器であって、無線リソース制御メッセージは、端末が受信状況を送信することを必要とする、少なくとも１つのマルチメディア・ブロードキャスト・マルチキャスト・サービスを識別するための指示情報を備える、無線リソース制御メッセージ送信器を備える。
【００１４】
任意選択で、マルチメディア・ブロードキャスト・マルチキャスト・サービス受信状況メッセージの送信を要求するための装置は、マルチメディア・ブロードキャスト・マルチキャスト・サービス受信状況メッセージを端末から受信するように構成された、マルチメディア・ブロードキャスト・マルチキャスト・サービス受信状況メッセージ受信器をさらに備え、マルチメディア・ブロードキャスト・マルチキャスト・サービス受信状況メッセージは、端末によって受信されているマルチメディア・ブロードキャスト・マルチキャスト・サービスを識別するために使用される。
【００１５】
本発明の実施形態では、基地局は、無線リソース制御メッセージを端末へ送信し、無線リソース制御メッセージは、それについての受信状況が端末によって送信されることが必要とされる、少なくとも１つのマルチメディア・ブロードキャスト・マルチキャスト・サービスを示すための指示情報を備える。端末は、無線リソース制御メッセージを基地局から受信し、無線リソース制御メッセージが所定の条件を満たすかどうかを判定する。無線リソース制御メッセージが所定の条件を満たす場合、端末は、マルチメディア・ブロードキャスト・マルチキャスト・サービス受信状況メッセージを基地局へ送信し、マルチメディア・ブロードキャスト・マルチキャスト・サービス受信状況メッセージは、端末によって受信されているマルチメディア・ブロードキャスト・マルチキャスト・サービスを識別するために使用される。それに対応して、基地局は、マルチメディア・ブロードキャスト・マルチキャスト・サービス受信状況メッセージを、端末から受信する。前述のステップにより、通信ネットワーク内の基地局およびマルチセル／マルチキャスト調整エンティティ（ＭＣＥ）は、端末側の少なくとも１つのＭＢＭＳの受信状況メッセージを、端末から取得して、それにより、稼働中のＭＢＭＳのブロードキャストまたはマルチキャスト受信ユーザの数をカウントし、他の関連処理を行うことができる。
【００１６】
本発明の他の特徴、目的および利点は、図面を参照して与えられる、以下の限定されない実施形態の詳細な説明を検討することで、より明らかになりうる。
【図面の簡単な説明】
【００１７】
【図１】本発明の一実施形態による、端末および基地局から構成された通信ネットワークのトポロジ構造図である。
【図２】本発明の一実施形態による、無線通信ネットワークの端末において、ＭＢＭＳ受信状況メッセージを送信する方法のフローチャートである。
【図３】本発明の別の実施形態による、ＭＢＭＳ受信状況メッセージを送信する方法における、所定の条件についての判定のステップのフローチャートである。
【図４】本発明のさらなる実施形態による、無線通信ネットワークの基地局において、ＭＢＭＳ受信状況メッセージの送信を要求する方法のフローチャートである。
【図５】本発明の別の実施形態による、ＭＢＭＳ受信状況メッセージの送信を要求する方法における、ＭＢＭＳ受信状況メッセージを受信するステップのフローチャートである。
【図６】本発明の別の実施形態による、無線通信ネットワークの端末における、ＭＢＭＳ受信状況メッセージを送信するための装置の概略構造図である。
【図７】本発明の別の実施形態による、無線通信ネットワークの基地局における、ＭＢＭＳ受信状況メッセージの送信を要求するための装置の概略構造図である。
【発明を実施するための形態】
【００１８】
同じまたは類似の参照番号は、図面全体を通して、ステップまたはデバイス（モジュール）の同じまたは類似の特徴を示す。
【００１９】
図面を参照して、本発明の特定の実施形態を、例として以下で詳述する。
【００２０】
図１は、本発明の一実施形態による、端末および基地局から構成された通信ネットワークのトポロジ構造図である。図示のように、通信ネットワークは、ユーザ機器１０および基地局２０を備える。ユーザ機器１０と基地局２０の間に、通信接続がある。任意選択で、ユーザ機器１０と基地局２０の間に含まれた中継ノード（図示せず）もまたあってもよい。
【００２１】
本発明の一実施形態では、通信ネットワーク内のマルチセル／マルチキャスト調整エンティティ（ＭＣＥ）（図示せず）によって管理されたＭＢＭＳは、具体的には、電子チャネル１から１０であり、ユーザ機器１０側で受信されているＭＢＭＳは、電子チャネル１、電子チャネル２および電子チャネル３である。
【００２２】
図２は、本発明の一実施形態による、無線通信ネットワークのユーザ機器において、ＭＢＭＳ受信状況メッセージを送信する方法のフローチャートである。図示のように、この方法は、ユーザ機器１０によって行われる３つのステップＳ２０１、Ｓ２０２およびＳ２０３を備える。
【００２３】
最初に、ステップＳ２０１で、ユーザ機器１０は、無線リソース制御メッセージを基地局２０から受信する。
【００２４】
次に、ステップＳ２０２で、ユーザ機器１０は、無線リソース制御メッセージが所定の条件を満たすかどうかを判定する。
【００２５】
ステップＳ２０３で、無線リソース制御メッセージが所定の条件を満たす場合、ユーザ機器１０は、マルチメディア・ブロードキャスト・マルチキャスト・サービス受信状況メッセージを基地局２０へ送信する。
【００２６】
図４は、本発明のさらなる実施形態による、無線通信ネットワークの基地局において、ＭＢＭＳ受信状況メッセージの送信を要求する方法のフローチャートである。図示のように、この方法は、基地局２０によって行われるステップＳ４０１を備える。
【００２７】
ステップＳ４０１で、基地局２０は、無線リソース制御メッセージをユーザ機器１０へ送信し、無線リソース制御メッセージは、それについての受信状況がユーザ機器１０によって送信されることが必要とされる、少なくとも１つのマルチメディア・ブロードキャスト・マルチキャスト・サービスを識別するための指示情報を備える。
【００２８】
本発明の前述の実施形態による、ユーザ機器１０において、ＭＢＭＳ受信状況メッセージを送信する方法、および、基地局において、ＭＢＭＳ受信状況メッセージの送信を要求する方法を、以下で図１、図２および図４を参照して説明する。
【００２９】
基地局２０は、ユーザ機器１０側の電子チャネル１、電子チャネル３、電子チャネル５、電子チャネル６および電子チャネル７の受信状況を取得する必要があり、すなわち、基地局２０は、前述の電子チャネルがユーザ機器１０によって受信されているかどうかについての情報を取得する必要があると仮定する。このとき、図４に示すようにステップＳ４０１で、基地局２０は、無線リソース制御メッセージをユーザ機器１０へ送信し、無線リソース制御メッセージは、前述の電子チャネル１、電子チャネル３、電子チャネル５、電子チャネル６および電子チャネル７を識別するための指示情報を備えて、それにより、ユーザ機器１０上の前述の電子チャネルの受信状況、すなわち、前述の電子チャネルがユーザ機器１０によって受信されているかどうかを、基地局２０へレポートするように、ユーザ機器１０に命令する。
【００３０】
任意選択で、ステップＳ４０１で、基地局２０から送信された無線リソース制御メッセージは、ＭＢＳＦＮＡｒｅａＣｏｎｆｉｇｕｒａｔｉｏｎメッセージである。任意選択で、ステップＳ４０１で、基地局２０は、ＭＢＳＦＮＡｒｅａＣｏｎｆｉｇｕｒａｔｉｏｎメッセージをユーザ機器１０へ、マルチキャスト制御チャネル（ＭＣＣＨ）を介して送信し、ＭＢＳＦＮＡｒｅａＣｏｎｆｉｇｕｒａｔｉｏｎメッセージは、前述の電子チャネル１、電子チャネル３、電子チャネル５、電子チャネル６および電子チャネル７を識別するための指示情報を備えて、それにより、ユーザ機器１０上の前述の電子チャネルの受信状況、すなわち、前述の電子チャネルがユーザ機器１０によって受信されているかどうかを、基地局２０へレポートするように、ユーザ機器１０に命令する。
【００３１】
任意選択で、ＭＢＳＦＮＡｒｅａＣｏｎｆｉｇｕｒａｔｉｏｎメッセージ内の指示情報は、少なくとも１つのマルチメディア・ブロードキャスト・マルチキャスト・サービスに対応する受信状況レポート・インジケータを備えてもよく、少なくとも１つのマルチメディア・ブロードキャスト・マルチキャスト・サービスに対応するセッション識別子（ＩＤ）に関連してそれぞれ設定されうる。例えば、基地局２０は、ユーザ機器１０側の電子チャネル１、電子チャネル３、電子チャネル５、電子チャネル６および電子チャネル７の受信状況の統計値を必要とし、次いで、ステップＳ４０１で、基地局２０から送信されたＭＢＳＦＮＡｒｅａＣｏｎｆｉｇｕｒａｔｉｏｎメッセージ内の指示情報は、セッションＩＤ１、セッションＩＤ３、セッションＩＤ５、セッションＩＤ６およびセッションＩＤ７の受信状況レポート・インジケータを含んで、基地局２０によってそれぞれ要求された電子チャネル１、電子チャネル３、電子チャネル５、電子チャネル６および電子チャネル７の受信状況をレポートすることを求める要求を示す。
【００３２】
また、ユーザ機器１０側で受信されているＭＢＭＳは、電子チャネル１、電子チャネル２および電子チャネル３であると仮定する。
【００３３】
次いで、基地局２０が無線リソース制御メッセージをユーザ機器１０へ送信した後、最初に、図２に示すようにステップＳ２０１で、ユーザ機器１０は、無線リソース制御メッセージを基地局２０から、あるとき、例えば、修正期間の時点または繰り返し期間の時点で受信する。具体的には、ユーザ機器１０が電源をオンにされたばかりであるか、または、ユーザ機器１０が新しいセルへハンドオーバされたばかりであり、かつ、新しい基地局と通信を確立している場合、ユーザ機器１０は一般に、ステップＳ２０１で、無線リソース制御メッセージを基地局２０から、時間領域内の最も近い修正期間の時点または繰り返し期間の時点で受信する。また、ユーザ機器１０が基地局２０と通常に通信している場合、ユーザ機器１０は一般に、ステップＳ２０１で、無線リソース制御メッセージを基地局２０から、修正期間の時点のみで受信する。
【００３４】
次に、ステップＳ２０２で、ユーザ機器１０は、無線リソース制御メッセージが所定の条件を満たすかどうかを判定する。
【００３５】
ステップＳ２０３で、無線リソース制御メッセージが所定の条件を満たす場合、ＭＢＭＳ受信状況メッセージが基地局２０へ送信され、ＭＢＭＳ受信状況メッセージは、ユーザ機器１０によって受信されているマルチメディア・ブロードキャスト・マルチキャスト・サービスを識別するために使用される。この実施形態では、ユーザ機器１０によって受信されているマルチメディア・ブロードキャスト・マルチキャスト・サービスは、電子チャネル１、電子チャネル２および電子チャネル３である。ユーザ機器１０は、ＭＢＭＳ受信状況メッセージを基地局２０へ送信することによって、基地局２０によって指定された電子チャネルのみの受信状況、例えば、ユーザ機器側の電子チャネル１の受信状況を、基地局２０にレポートすることが好ましい。
【００３６】
本発明の別の実施形態では、前述のそれぞれの実施形態における無線リソース制御メッセージは、ＭＢＳＦＮＡｒｅａＣｏｎｆｉｇｕｒａｔｉｏｎメッセージであることが好ましい。それに応じて、ステップＳ２０１で、ユーザ機器１０は、ＭＢＳＦＮＡｒｅａＣｏｎｆｉｇｕｒａｔｉｏｎメッセージを基地局２０から、マルチキャスト制御チャネルを介して受信することが好ましい。それに応じて、ステップＳ４０１で、基地局２０は、好ましくは、ＭＢＳＦＮＡｒｅａＣｏｎｆｉｇｕｒａｔｉｏｎメッセージをユーザ機器１０へ、マルチキャスト制御チャネルを介して送信する。ここで、ＭＢＳＦＮＡｒｅａＣｏｎｆｉｇｕｒａｔｉｏｎメッセージ内の指示情報は、好ましくは、少なくとも１つのマルチメディア・ブロードキャスト・マルチキャスト・サービスに対応する受信状況レポート・インジケータを備える。例えば、基地局２０は、ユーザ機器１０側の電子チャネル１、電子チャネル３、電子チャネル５、電子チャネル６および電子チャネル７の受信状況の統計値を必要とし、次いで、この実施形態においてユーザ機器１０によって受信されるＭＢＳＦＮＡｒｅａＣｏｎｆｉｇｕｒａｔｉｏｎメッセージ内の指示情報は、セッションＩＤ１、セッションＩＤ３、セッションＩＤ５、セッションＩＤ６およびセッションＩＤ７によって識別された前述のマルチメディア・ブロードキャスト・マルチキャスト・サービスに対応する受信状況レポート・インジケータを備えて、基地局２０によってそれぞれ要求された電子チャネル１、電子チャネル３、電子チャネル５、電子チャネル６および電子チャネル７の受信状況をレポートすることを求める要求を示すようにする。
【００３７】
ここで、無線リソース制御メッセージ、例えば、ＭＢＳＦＮＡｒｅａＣｏｎｆｉｇｕｒａｔｉｏｎメッセージは、少なくとも、それについての受信状況がユーザ機器１０によって送信されることが必要とされる、１つまたは複数のマルチメディア・ブロードキャスト・マルチキャスト・サービスを識別する目的のために、指示情報を備えることは、当業者には理解されよう。別段に明記され、本発明はいかなる特定の識別形式にも限定されるものではなく、例えば、場合によっては、指示情報が１つまたは複数の関連マルチメディア・ブロードキャスト・マルチキャスト・サービスを一意に識別することができる限り、セッション識別子に関連して設定される受信状況レポート・インジケータに対応する。
【００３８】
図５は、本発明の別の実施形態による、ＭＢＭＳ受信状況メッセージの送信を要求する方法における、ＭＢＭＳ受信状況メッセージを受信するステップのフローチャートである。この実施形態では、基地局２０においてＭＢＭＳ受信状況メッセージの送信を要求する方法は、ステップＳ５０１をさらに備える。
【００３９】
ステップＳ５０１で、基地局２０は、ＭＢＭＳ受信状況メッセージをユーザ機器１０から受信し、マルチメディア・ブロードキャスト・マルチキャスト・サービス受信状況メッセージは、ユーザ機器１０によって受信されている１つまたは複数のマルチメディア・ブロードキャスト・マルチキャスト・サービスを識別するために使用され、これらは、この実施形態では、電子チャネル１、電子チャネル２および電子チャネル３である。
【００４０】
図３は、本発明の別の実施形態による、ＭＢＭＳ受信状況メッセージを送信する方法における、所定の条件についての判定のステップのフローチャートである。ステップＳ２０２における所定の条件は、以下のうち少なくともいずれか１つを備えてもよく、すなわち、（Ｉ）ステップＳ２０１でユーザ機器１０によって受信される無線リソース制御メッセージは、ユーザ機器１０が電源をオンにされた後、初めて受信されるか、または、ユーザ機器１０が新しいセルへハンドオーバされるとき、新しい基地局から初めて受信され、かつ、無線リソース制御メッセージ内の指示情報は、ユーザ機器１０がマルチメディア・ブロードキャスト・マルチキャスト・サービス受信状況メッセージを送信することを必要とされることを示すこと、（ＩＩ）ステップＳ２０１でユーザ機器１０によって受信される無線リソース制御メッセージ内の指示情報は、ユーザ機器１０がマルチメディア・ブロードキャスト・マルチキャスト・サービス受信状況メッセージを送信することを必要とされることを示し、かつ、ユーザ機器１０によって以前に受信された無線リソース制御メッセージ内の指示情報は、ユーザ機器１０がマルチメディア・ブロードキャスト・マルチキャスト・サービス受信状況メッセージを送信することを必要とされないことを示すこと、および、（ＩＩＩ）ステップＳ２０１でユーザ機器１０によって受信される無線リソース制御メッセージは、指示情報を備え、かつ、指示情報は、ユーザ機器がマルチメディア・ブロードキャスト・マルチキャスト・サービス受信状況メッセージを送信することを必要とされることを示し、かつ、ユーザ機器１０によって以前に受信された無線リソース制御メッセージは、指示情報を備えていないことである。
【００４１】
所定の条件が、ユーザ機器１０によって受信される無線リソース制御メッセージは、端末１０が電源をオンにされた後、初めて受信されるか、または、端末１０が新しいセルへハンドオーバされるとき、新しい基地局から初めて受信され、かつ、無線リソース制御メッセージ内の指示情報は、端末１０がマルチメディア・ブロードキャスト・マルチキャスト・サービス受信状況メッセージを送信することを必要とされることを示すことであるとすれば、この実施形態では、無線リソース制御メッセージは具体的には、ＭＢＳＦＮＡｒｅａＣｏｎｆｉｇｕｒａｔｉｏｎメッセージであり、かつ、ＭＢＳＦＮＡｒｅａＣｏｎｆｉｇｕｒａｔｉｏｎメッセージ内の指示情報は、少なくとも１つのマルチメディア・ブロードキャスト・マルチキャスト・サービスに対応する受信状況レポート・インジケータを備えることが好ましい。このとき、この実施形態において、ユーザ機器１０によって受信されるＭＢＳＦＮＡｒｅａＣｏｎｆｉｇｕｒａｔｉｏｎメッセージ内の指示情報は、セッションＩＤ１、セッションＩＤ３、セッションＩＤ５、セッションＩＤ６およびセッションＩＤ７によって識別されたマルチメディア・ブロードキャスト・マルチキャスト・サービスに対応する受信状況レポート・インジケータを含んで、基地局２０によってそれぞれ要求された電子チャネル１、電子チャネル３、電子チャネル５、電子チャネル６および電子チャネル７の受信状況をレポートすることを求める要求を示してもよい。また、前述の電子チャネルの中で、それについてユーザ機器１０によって受信されているかどうかをレポートすることを必要とされる電子チャネルについて、基地局２０は、電子チャネルのセッションＩＤに対応する受信状況レポート・インジケータ・フィールドを、ブール値の形式でＴＲＵＥに設定して、それにより、ユーザ機器１０が、ユーザ機器１０側でセッションＩＤによって識別された電子チャネルの受信状況を基地局２０へレポートすることを、基地局２０が必要とすることを示すことができることが好ましい。一方、基地局２０は、セッションＩＤに対応する受信状況レポート・インジケータ・フィールドを、ブール値の形式でＦＡＬＳＥに設定して、それにより、ユーザ機器１０が、ユーザ機器１０側でセッションＩＤによって識別された電子チャネルの受信状況を基地局２０へレポートすることを、基地局２０が必要としないことを示すことができる。この実施形態におけるＭＢＳＦＮＡｒｅａＣｏｎｆｉｇｕｒａｔｉｏｎメッセージでは、例えば、基地局２０は、セッションＩＤ１、セッションＩＤ３およびセッションＩＤ５に対応する、受信状況レポート・インジケータ・フィールド、例えば、場合によっては１ビットまたは１バイト変数を、ブール値の形式でＴＲＵＥに設定して、それにより、ユーザ機器１０が、電子チャネル１、３および５がユーザ機器１０によって受信されているかどうかの状況を基地局２０へレポートすることを、基地局２０が必要とすることを示すことができる。基地局２０はまた、セッションＩＤ６およびセッションＩＤ７に対応する、受信状況レポート・インジケータ・フィールド、例えば、場合によっては１ビットまたは１バイト変数を、ブール値の形式でＦＡＬＳＥに設定して、それにより、ユーザ機器１０が、電子チャネル６および７がユーザ機器１０によって受信されているかどうかの状況を基地局２０へレポートすることを、基地局２０が必要としないことを示すこともできる。この実施形態では、ステップＳ２０２１で、ユーザ機器１０によって受信されるＭＢＳＦＮＡｒｅａＣｏｎｆｉｇｕｒａｔｉｏｎメッセージが、ユーザ機器１０が電源をオンにされた後、初めて受信されるか、または、ユーザ機器１０が新しいセルへハンドオーバされるとき、新しい基地局から初めて受信され、かつ、セッションＩＤ１、セッションＩＤ３およびセッションＩＤ５に対応する、受信状況レポート・インジケータ・フィールド、例えば、場合によっては１ビットまたは１バイト変数が、ブール値の形式でＴＲＵＥに設定されるという、上記のような内容を有する場合、ユーザ機器１０は、ＭＢＳＦＮＡｒｅａＣｏｎｆｉｇｕｒａｔｉｏｎメッセージによって示された電子チャネル１、３および５が、この実施形態における所定の条件を満たすと判定する。
【００４２】
次に、ステップＳ２０３で、ユーザ機器１０は、新たに作成されたＭＢＭＳＲｅｃｅｐｔｉｏｎＳｔａｔｕｓＲｅｐｏｒｔメッセージを、マルチメディア・ブロードキャスト・マルチキャスト・サービス受信状況メッセージとして使用して、ユーザ機器１０によって受信されている１つまたは複数のマルチメディア・ブロードキャスト・マルチキャスト・サービスを識別するようにしてもよい。この実施形態では、ユーザ機器１０によって受信されているＭＢＭＳは、電子チャネル１、電子チャネル２および電子チャネル３である。次いで、ユーザ機器１０は、ステップＳ２０２１における判定の結果に従って、電子チャネル１および電子チャネル３の指示情報、例えば、電子チャネル１および電子チャネル３のセッション識別子である、セッションＩＤ１およびセッションＩＤ３を、ＭＢＭＳＲｅｃｅｐｔｉｏｎＳｔａｔｕｓＲｅｐｏｒｔメッセージ／シグナリングにおいて基地局２０へ送信する。
【００４３】
所定の条件が、ユーザ機器１０によって受信される無線リソース制御メッセージ内の指示情報は、端末１０がマルチメディア・ブロードキャスト・マルチキャスト・サービス受信状況メッセージを送信することを必要とされることを示し、かつ、ユーザ機器１０によって以前に受信された無線リソース制御メッセージ内の指示情報は、端末１０がマルチメディア・ブロードキャスト・マルチキャスト・サービス受信状況メッセージを送信することを必要とされないことを示すことであるとすれば、この実施形態では、ユーザ機器１０によって受信されるＭＢＳＦＮＡｒｅａＣｏｎｆｉｇｕｒａｔｉｏｎメッセージが、ユーザ機器１０が電源をオンにされた後に初めて受信、または、ユーザ機器１０が新しいセルへハンドオーバされるときに新しい基地局から初めて受信されず、かつ、ＭＢＳＦＮＡｒｅａＣｏｎｆｉｇｕｒａｔｉｏｎメッセージの内容において、セッションＩＤ３およびセッションＩＤ５に対応する、インジケータ・フィールド、例えば、場合によっては１ビットまたは１バイト変数が、ブール値の形式でＴＲＵＥに設定され、かつ、ユーザ機器１０によって以前に受信されたＭＢＳＦＮＡｒｅａＣｏｎｆｉｇｕｒａｔｉｏｎメッセージが、それらの対応する受信状況レポート・インジケータ・フィールドがブール値の形式でそれぞれＴＲＵＥ、ＴＲＵＥおよびＦＡＬＳＥに設定されているセッションＩＤ１、セッションＩＤ３およびセッションＩＤ５を備える場合、ステップＳ２０２２で、ユーザ機器１０は、ＭＢＳＦＮＡｒｅａＣｏｎｆｉｇｕｒａｔｉｏｎメッセージによって示された電子チャネル５が、この実施形態における所定の条件を満たしており、かつ、電子チャネル１および３がこの実施形態における所定の条件を満たしていないと判定する。
【００４４】
次に、ステップＳ２０３で、ユーザ機器１０は、新たに作成されたＭＢＭＳＲｅｃｅｐｔｉｏｎＳｔａｔｕｓＲｅｐｏｒｔメッセージを、マルチメディア・ブロードキャスト・マルチキャスト・サービス受信状況メッセージとして使用して、ユーザ機器１０によって受信されている１つまたは複数のマルチメディア・ブロードキャスト・マルチキャスト・サービスを識別するようにしてもよい。この実施形態では、ユーザ機器１０によって受信されているＭＢＭＳは、電子チャネル１、電子チャネル２および電子チャネル３である。ステップＳ２０２１における判定の結果として、電子チャネル１および電子チャネル３がこの実施形態における所定の条件を満たしていないと判定され、電子チャネル２は、ＭＢＳＦＮＡｒｅａＣｏｎｆｉｇｕｒａｔｉｏｎメッセージ内で指定されていないので、ユーザ機器１０は、電子チャネル１、電子チャネル２および電子チャネル３の中のいかなるＭＢＭＳの受信状況メッセージも、基地局２０へ送信しないように選択してもよい。ここでは、この実施形態のステップＳ２０２２で、電子チャネル５が所定の条件を満たすと判定されるが、この電子チャネルはユーザ機器１０によって受信されていないので、ユーザ機器１０は、電子チャネル５のいかなるマルチメディア・ブロードキャスト・マルチキャスト・サービス受信状況メッセージも送信しないように選択してもよいことは、当業者には理解されよう。
【００４５】
所定の条件が、ユーザ機器１０によって受信される無線リソース制御メッセージは、指示情報を備え、かつ、指示情報は、端末がマルチメディア・ブロードキャスト・マルチキャスト・サービス受信状況メッセージを送信することを必要とされることを示し、かつ、ユーザ機器１０によって以前に受信された無線リソース制御メッセージは、指示情報を備えていないことであるとすれば、この実施形態では、ユーザ機器１０によって受信されるＭＢＳＦＮＡｒｅａＣｏｎｆｉｇｕｒａｔｉｏｎメッセージが、ユーザ機器１０が電源をオンにされた後に初めて受信、または、ユーザ機器１０が新しいセルへハンドオーバされるときに新しい基地局から初めて受信されないが、基地局２０との通常の通信において受信され、かつ、ＭＢＳＦＮＡｒｅａＣｏｎｆｉｇｕｒａｔｉｏｎメッセージの内容が、セッションＩＤ１、セッションＩＤ３およびセッションＩＤ５を備え、かつ、それらの対応する受信状況レポート・インジケータ・フィールド、例えば、場合によっては１ビットまたは１バイト変数が、ブール値の形式でそれぞれＴＲＵＥ、ＦＡＬＳＥおよびＴＲＵＥに設定され、かつ、ユーザ機器１０によって以前に受信されたＭＢＳＦＮＡｒｅａＣｏｎｆｉｇｕｒａｔｉｏｎメッセージが、セッションＩＤ３およびセッションＩＤ５のみを備え、かつ、セッションＩＤ３およびセッションＩＤ５に対応する受信状況レポート・インジケータ・フィールドが、ブール値の形式でそれぞれＴＲＵＥおよびＴＲＵＥに設定される場合、ステップＳ２０２２で、ユーザ機器１０は、ＭＢＳＦＮＡｒｅａＣｏｎｆｉｇｕｒａｔｉｏｎメッセージによって示された電子チャネル１が、この実施形態における所定の条件を満たしており、かつ、電子チャネル３および５がこの実施形態における所定の条件を満たしていないと判定する。
【００４６】
次に、ステップＳ２０３で、ユーザ機器１０は、新たに作成されたＭＢＭＳＲｅｃｅｐｔｉｏｎＳｔａｔｕｓＲｅｐｏｒｔメッセージを、マルチメディア・ブロードキャスト・マルチキャスト・サービス受信状況メッセージとして使用して、ユーザ機器１０によって受信されている１つまたは複数のマルチメディア・ブロードキャスト・マルチキャスト・サービスを識別するようにしてもよい。この実施形態では、ユーザ機器１０によって受信されているＭＢＭＳは、電子チャネル１、電子チャネル２および電子チャネル３である。ユーザ機器１０は、ステップＳ２０２１における判定の結果に従って、電子チャネル１の指示情報、例えば、電子チャネル１のセッション識別子であるセッションＩＤ１を、ＭＢＭＳＲｅｃｅｐｔｉｏｎＳｔａｔｕｓＲｅｐｏｒｔメッセージ／シグナリングにおいて基地局２０へ送信する。
【００４７】
前述の実施形態では、マルチメディア・ブロードキャスト・マルチキャスト・サービス受信状況メッセージは、端末によって受信されているマルチメディア・ブロードキャスト・マルチキャスト・サービスのセッション識別子を備えて、対応するマルチメディア・ブロードキャスト・マルチキャスト・サービスを識別するようにする。ここで、前述の実施形態におけるマルチメディア・ブロードキャスト・マルチキャスト・サービス受信状況メッセージは、少なくとも、その受信状況のレポートを必要とするためにＭＢＳＦＮＡｒｅａＣｏｎｆｉｇｕｒａｔｉｏｎメッセージ内で基地局２０によって指定され、かつ、またユーザ機器１０によって受信もされている、１つまたは複数のマルチメディア・ブロードキャスト・マルチキャスト・サービスを識別する目的のためのものであり、マルチメディア・ブロードキャスト・マルチキャスト・サービス受信状況メッセージは、ユーザ機器１０によって受信されている１つまたは複数のマルチメディア・ブロードキャスト・マルチキャスト・サービスを識別するように、新たに作成されたメッセージ／シグナリング、または、既存のメッセージ／信号内に新たに追加されたフィールドであってもよいことは、当業者には理解されよう。本発明は、マルチメディア・ブロードキャスト・マルチキャスト・サービス受信状況メッセージが実施される、いかなる特定の形式にも限定されるものではない。
【００４８】
図６は、本発明の別の実施形態による、無線通信ネットワークのユーザ機器１０において、ＭＢＭＳ受信状況メッセージを送信するための装置の概略構造図である。図６に示すように、この実施形態による、ＭＢＭＳ受信状況メッセージを送信するための装置１００は一般に、無線リソース制御（ＲＲＣ）メッセージ受信器１０１、所定条件判定モジュール１０３、および、ＭＢＭＳ受信状況メッセージ送信器１０４を備える。
【００４９】
具体的には、無線リソース制御メッセージ受信器１０１は、無線リソース制御メッセージを基地局から受信するように構成される。所定条件判定モジュール１０３は、無線リソース制御メッセージが所定の条件を満たすかどうかを判定するように構成される。ＭＢＭＳ受信状況メッセージ送信器１０４は、無線リソース制御メッセージが所定の条件を満たすとき、マルチメディア・ブロードキャスト・マルチキャスト・サービス受信状況メッセージを基地局２０へ送信するように構成され、マルチメディア・ブロードキャスト・マルチキャスト・サービス受信状況メッセージは、端末によって受信されているマルチメディア・ブロードキャスト・マルチキャスト・サービスを識別するために使用され、受信されているマルチメディア・ブロードキャスト・マルチキャスト・サービスの数は、１つまたは複数であってもよい。
【００５０】
具体的には、所定の条件は、
−  無線リソース制御メッセージは、端末１０が電源をオンにされた後、初めて受信されるか、または、ユーザ機器１０が新しいセルへハンドオーバされるとき、新しい基地局（図示せず）から初めて受信され、かつ、無線リソース制御メッセージ内の指示情報は、端末がマルチメディア・ブロードキャスト・マルチキャスト・サービス受信状況メッセージを送信することを必要とされることを示すこと、
−  無線リソース制御メッセージ内の指示情報は、端末１０がマルチメディア・ブロードキャスト・マルチキャスト・サービス受信状況メッセージを送信することを必要とされることを示し、かつ、以前に受信された無線リソース制御メッセージ内の指示情報は、端末１０がマルチメディア・ブロードキャスト・マルチキャスト・サービス受信状況メッセージを送信することを必要とされないことを示すこと、および
−  無線リソース制御メッセージは、指示情報を備え、かつ、指示情報は、端末１０がマルチメディア・ブロードキャスト・マルチキャスト・サービス受信状況メッセージを送信することを必要とされることを示し、かつ、以前に受信された無線リソース制御メッセージは、指示情報を備えていないこと
のうち、少なくともいずれか１つまたは複数を備える。
【００５１】
図７は、本発明の別の実施形態による、ＭＢＭＳ受信状況メッセージの送信を要求するための、無線通信ネットワークの基地局２０における装置の概略構造図である。ＭＢＭＳ受信状況メッセージの送信を要求するための装置２００は、ＲＲＣメッセージ送信器２０１を備える。ＲＲＣメッセージ送信器２０１は、無線リソース制御メッセージをユーザ機器１０へ送信するように構成され、無線リソース制御メッセージは、ユーザ機器１０が受信状況を送信することを必要とする、少なくとも１つのマルチメディア・ブロードキャスト・マルチキャスト・サービスを識別するための指示情報を備える。
【００５２】
本発明の別の実施形態では、ＭＢＭＳ受信状況メッセージの送信を要求するための装置２００は、ＭＢＭＳ受信状況メッセージ受信器２０２をさらに備える。ＭＢＭＳ受信状況メッセージ受信器２０２は、マルチメディア・ブロードキャスト・マルチキャスト・サービス受信状況メッセージをユーザ機器１０から受信するように構成され、マルチメディア・ブロードキャスト・マルチキャスト・サービス受信状況メッセージは、ユーザ機器１０によって受信されているマルチメディア・ブロードキャスト・マルチキャスト・サービスを識別するために使用される。
【００５３】
前述のそれぞれの実施形態における無線リソース制御メッセージは、ＭＢＳＦＮＡｒｅａＣｏｎｆｉｇｕｒａｔｉｏｎメッセージであることが好ましく、それに対応して、ＭＢＭＳ受信状況メッセージを送信するための装置１００では、ＲＲＣメッセージ受信器１０１は、好ましくは、ＭＢＳＦＮＡｒｅａＣｏｎｆｉｇｕｒａｔｉｏｎメッセージを基地局２０から、マルチキャスト制御チャネルを介して受信する。それに対応して、ＭＢＭＳ受信状況メッセージの送信を要求するための装置２００では、ＲＲＣメッセージ送信器は、好ましくは、ＭＢＳＦＮＡｒｅａＣｏｎｆｉｇｕｒａｔｉｏｎメッセージをユーザ機器１０へ、マルチキャスト制御チャネルを介して送信する。ここで、ＭＢＳＦＮＡｒｅａＣｏｎｆｉｇｕｒａｔｉｏｎメッセージ内の指示情報は、好ましくは、少なくとも１つのマルチメディア・ブロードキャスト・マルチキャスト・サービスに対応する受信状況レポート・インジケータを備える。例えば、基地局２０は、ユーザ機器１０側の電子チャネル１、電子チャネル３、電子チャネル５、電子チャネル６および電子チャネル７の受信状況の統計値を必要とし、次いで、この実施形態においてＲＲＣメッセージ受信器１０１によって受信されるＭＢＳＦＮＡｒｅａＣｏｎｆｉｇｕｒａｔｉｏｎメッセージ内の指示情報は、セッションＩＤ１、セッションＩＤ３、セッションＩＤ５、セッションＩＤ６およびセッションＩＤ７の受信状況レポート・インジケータを備えて、基地局２０によってそれぞれ要求された電子チャネル１、電子チャネル３、電子チャネル５、電子チャネル６および電子チャネル７の受信状況をレポートすることを求める要求を示すようにする。それに対応して、基地局２０内のＲＲＣメッセージ送信器２０１によって送信されるＭＢＳＦＮＡｒｅａＣｏｎｆｉｇｕｒａｔｉｏｎメッセージ内の指示情報もまた、セッションＩＤ１、セッションＩＤ３、セッションＩＤ５、セッションＩＤ６およびセッションＩＤ７の受信状況レポート・インジケータを備えて、基地局２０によってそれぞれ要求された電子チャネル１、電子チャネル３、電子チャネル５、電子チャネル６および電子チャネル７の受信状況をレポートすることを求める要求を示すようにする。
【００５４】
ここで、前述の実施形態における無線リソース制御メッセージ、例えば、ＭＢＳＦＮＡｒｅａＣｏｎｆｉｇｕｒａｔｉｏｎメッセージは、少なくとも、それについての受信状況がユーザ機器１０によって送信されることが必要とされる、１つまたは複数のマルチメディア・ブロードキャスト・マルチキャスト・サービスを識別する目的のために、指示情報を備えることは、当業者には理解されよう。別段に明記され、本発明はいかなる特定の識別形式にも限定されるものではなく、例えば、場合によっては、指示情報が１つまたは複数の関連マルチメディア・ブロードキャスト・マルチキャスト・サービスを一意に識別することができる限り、セッション識別子に関連して設定される受信状況レポート・インジケータに対応する。
【００５５】
本発明の前述の実施形態による、ユーザ機器１０における、ＭＢＭＳ受信状況メッセージを送信するための装置１００、および、基地局２０における、ＭＢＭＳ受信状況メッセージの送信を要求するための装置２００を、以下で図１、図６および図７を参照して説明する。
【００５６】
基地局２０は、ユーザ機器１０側の電子チャネル１、電子チャネル３、電子チャネル５、電子チャネル６および電子チャネル７の受信状況を取得する必要があり、すなわち、基地局２０は、前述の電子チャネルがユーザ機器１０によって受信されているかどうかについての情報を取得する必要があると仮定する。このとき、図７に示すように、ＭＢＭＳ受信状況メッセージの送信を要求するための装置２００内のＲＲＣメッセージ送信器２０１は、無線リソース制御メッセージをユーザ機器１０へ送信し、無線リソース制御メッセージは、前述の電子チャネル１、電子チャネル３、電子チャネル５、電子チャネル６および電子チャネル７の受信状況をレポートすることを求める要求を示すための指示情報を備えて、それにより、ユーザ機器１０上の前述の電子チャネルの受信状況、すなわち、前述の電子チャネルがユーザ機器１０によって受信されているかどうかを、基地局２０へレポートするように、ユーザ機器１０に命令する。
【００５７】
また、ユーザ機器１０側で受信されているＭＢＭＳは、電子チャネル１、電子チャネル２および電子チャネル３であると仮定する。
【００５８】
次いで、ＭＢＭＳ受信状況メッセージの送信を要求するための装置２００内のＲＲＣメッセージ送信器２０１が、無線リソース制御メッセージをユーザ機器１０へ送信した後、最初に、図６に示すように、ＭＢＭＳ受信状況メッセージを送信するための装置１００内のＲＲＣメッセージ受信器１０１は、無線リソース制御メッセージを基地局２０から、あるとき、例えば、修正期間の時点または繰り返し期間の時点で受信する。具体的には、ユーザ機器１０が電源をオンにされたばかりであるか、または、ユーザ機器１０が新しいセルへハンドオーバされたばかりであり、かつ、新しい基地局と通信を確立している場合、ＲＲＣメッセージ受信器１０１は一般に、無線リソース制御メッセージを基地局２０から、時間領域内の最も近い修正期間の時点または繰り返し期間の時点で受信する。また、ユーザ機器１０が基地局２０と通常に通信している場合、ＲＲＣメッセージ受信器１０１は一般に、無線リソース制御メッセージを基地局２０から、修正期間の時点のみで受信する。
【００５９】
次に、所定条件判定モジュール１０３は、無線リソース制御メッセージがその所定の条件を満たすかどうかを判定する。
【００６０】
所定条件判定モジュール１０３において設定された所定の条件が、ＲＲＣメッセージ受信器１０１によって受信される無線リソース制御メッセージは、端末１０が電源をオンにされた後、初めて受信されるか、または、端末１０が新しいセルへハンドオーバされるとき、新しい基地局から初めて受信され、かつ、無線リソース制御メッセージ内の指示情報は、端末１０がマルチメディア・ブロードキャスト・マルチキャスト・サービス受信状況メッセージを送信することを必要とされることを示すことであるとすれば、この実施形態では、無線リソース制御メッセージは具体的には、ＭＢＳＦＮＡｒｅａＣｏｎｆｉｇｕｒａｔｉｏｎメッセージであり、かつ、ＭＢＳＦＮＡｒｅａＣｏｎｆｉｇｕｒａｔｉｏｎメッセージ内の指示情報は、少なくとも１つのマルチメディア・ブロードキャスト・マルチキャスト・サービスに対応する受信状況レポート・インジケータを備えることが好ましい。このとき、この実施形態においてＲＲＣメッセージ受信器１０１によって受信されるＭＢＳＦＮＡｒｅａＣｏｎｆｉｇｕｒａｔｉｏｎメッセージ内の指示情報は、セッションＩＤ１、セッションＩＤ３、セッションＩＤ５、セッションＩＤ６およびセッションＩＤ７の受信状況レポート・インジケータを含んで、基地局２０によってそれぞれ要求された電子チャネル１、電子チャネル３、電子チャネル５、電子チャネル６および電子チャネル７の受信状況をレポートすることを求める要求を示すようにしてもよい。また、前述の電子チャネルの中で、それについてユーザ機器１０によって受信されているかどうかをレポートすることを必要とされる電子チャネルについて、基地局２０は、電子チャネルのセッションＩＤに対応する受信状況レポート・インジケータ・フィールドを、ブール値の形式でＴＲＵＥに設定して、それにより、ユーザ機器１０が、ユーザ機器１０側でセッションＩＤによって識別された電子チャネルの受信状況を基地局２０へレポートすることを、基地局２０が必要とすることを示すことができることが好ましい。一方、基地局２０は、セッションＩＤに対応するインジケータ・フィールドを、ブール値の形式でＦＡＬＳＥに設定して、それにより、ユーザ機器１０が、ユーザ機器１０側でセッションＩＤによって識別された電子チャネルの受信状況を基地局２０へレポートすることを、基地局２０が必要としないことを示すことができる。この実施形態におけるＭＢＳＦＮＡｒｅａＣｏｎｆｉｇｕｒａｔｉｏｎメッセージでは、例えば、基地局２０は、セッションＩＤ１、セッションＩＤ３およびセッションＩＤ５に対応する、インジケータ・フィールド、例えば、場合によっては１ビットまたは１バイト変数を、ブール値の形式でＴＲＵＥに設定して、それにより、ユーザ機器１０が、電子チャネル１、３および５がユーザ機器１０によって受信されているかどうかの状況を基地局２０へレポートすることを、基地局２０が必要とすることを示すことができる。基地局２０はまた、セッションＩＤ６およびセッションＩＤ７に対応する、受信状況レポート・インジケータ・フィールド、例えば、場合によっては１ビットまたは１バイト変数を、ブール値の形式でＦＡＬＳＥに設定して、それにより、ユーザ機器１０が、電子チャネル６および７がユーザ機器１０によって受信されているかどうかの状況を基地局２０へレポートすることを、基地局２０が必要としないことを示すこともできる。この実施形態では、ユーザ機器１０によって受信されるＭＢＳＦＮＡｒｅａＣｏｎｆｉｇｕｒａｔｉｏｎメッセージが、ユーザ機器１０が電源をオンにされた後、初めて受信されるか、または、ユーザ機器１０が新しいセルへハンドオーバされるとき、新しい基地局から初めて受信され、かつ、セッションＩＤ１、セッションＩＤ３およびセッションＩＤ５に対応する、受信状況レポート・インジケータ・フィールド、例えば、場合によっては１ビットまたは１バイト変数が、ブール値の形式でＴＲＵＥに設定されるという、上記のような内容を有する場合、所定条件判定モジュール１０３は、ＭＢＳＦＮＡｒｅａＣｏｎｆｉｇｕｒａｔｉｏｎメッセージによって示された電子チャネル１、３および５が、この実施形態における所定の条件を満たすと判定する。
【００６１】
次に、ＭＢＭＳ受信状況メッセージ送信器１０４は、新たに作成されたＭＢＭＳＲｅｃｅｐｔｉｏｎＳｔａｔｕｓＲｅｐｏｒｔメッセージを、マルチメディア・ブロードキャスト・マルチキャスト・サービス受信状況メッセージとして使用して、ユーザ機器１０によって受信されている１つまたは複数のマルチメディア・ブロードキャスト・マルチキャスト・サービスを識別するようにしてもよい。この実施形態では、ユーザ機器１０によって受信されているＭＢＭＳは、電子チャネル１、電子チャネル２および電子チャネル３である。次いで、ユーザ機器１０内のＭＢＭＳ受信状況メッセージ送信器１０４は、判定の結果に従って、電子チャネル１および電子チャネル３の指示情報、例えば、電子チャネル１および電子チャネル３のセッション識別子である、セッションＩＤ１およびセッションＩＤ３を、ＭＢＭＳＲｅｃｅｐｔｉｏｎＳｔａｔｕｓＲｅｐｏｒｔメッセージ／シグナリングにおいて基地局２０へ送信する。
【００６２】
所定条件判定モジュール１０３において設定された所定の条件が、ユーザ機器１０内のＲＲＣメッセージ受信器１０１によって受信される無線リソース制御メッセージ内の指示情報は、端末１０がマルチメディア・ブロードキャスト・マルチキャスト・サービス受信状況メッセージを送信することを必要とされることを示し、かつ、ユーザ機器１０によって以前に受信された無線リソース制御メッセージ内の指示情報は、端末１０がマルチメディア・ブロードキャスト・マルチキャスト・サービス受信状況メッセージを送信することを必要とされないことを示すことであるとすれば、この実施形態では、ユーザ機器１０によって受信されるＭＢＳＦＮＡｒｅａＣｏｎｆｉｇｕｒａｔｉｏｎメッセージが、ユーザ機器１０が電源をオンにされた後に初めて受信、または、ユーザ機器１０が新しいセルへハンドオーバされるときに新しい基地局から初めて受信されず、かつ、ＭＢＳＦＮＡｒｅａＣｏｎｆｉｇｕｒａｔｉｏｎメッセージの内容において、セッションＩＤ３およびセッションＩＤ５に対応する、受信状況レポート・インジケータ・フィールド、例えば、場合によっては１ビットまたは１バイト変数が、ブール値の形式でＴＲＵＥに設定され、かつ、ＲＲＣメッセージ受信器１０１によって以前に受信されたＭＢＳＦＮＡｒｅａＣｏｎｆｉｇｕｒａｔｉｏｎメッセージが、それらの対応する受信状況レポート・インジケータ・フィールドがブール値の形式でそれぞれＴＲＵＥ、ＴＲＵＥおよびＦＡＬＳＥに設定されているセッションＩＤ１、セッションＩＤ３およびセッションＩＤ５を備える場合、所定条件判定モジュール１０３は、ＭＢＳＦＮＡｒｅａＣｏｎｆｉｇｕｒａｔｉｏｎメッセージによって示された電子チャネル５が、この実施形態における所定の条件を満たしており、かつ、電子チャネル１および３がこの実施形態における所定の条件を満たしていないと判定する。
【００６３】
次に、ＭＢＭＳ受信状況メッセージ送信器１０４は、新たに作成されたＭＢＭＳＲｅｃｅｐｔｉｏｎＳｔａｔｕｓＲｅｐｏｒｔメッセージを、マルチメディア・ブロードキャスト・マルチキャスト・サービス受信状況メッセージとして使用して、ユーザ機器１０によって受信されている１つまたは複数のマルチメディア・ブロードキャスト・マルチキャスト・サービスを識別するようにしてもよい。この実施形態では、ユーザ機器１０によって受信されているＭＢＭＳは、電子チャネル１、電子チャネル２および電子チャネル３である。判定の結果として、電子チャネル１および電子チャネル３がこの実施形態における所定の条件を満たしていないと判定され、電子チャネル２は、ＭＢＳＦＮＡｒｅａＣｏｎｆｉｇｕｒａｔｉｏｎメッセージ内で指定されていないので、ＭＢＭＳ受信状況メッセージ送信器１０４は、電子チャネル１、電子チャネル２および電子チャネル３の中のいかなるＭＢＭＳの受信状況メッセージも、基地局２０へ送信しないように選択してもよい。ここでは、電子チャネル５が、この実施形態において所定条件判定モジュール１０３において設定された所定の条件を満たすと判定されるが、この電子チャネルはユーザ機器１０によって受信されていないので、ユーザ機器１０は、電子チャネル５のいかなるマルチメディア・ブロードキャスト・マルチキャスト・サービス受信状況メッセージも送信しないように選択してもよいことは、当業者には理解されよう。
【００６４】
所定条件判定モジュール１０３によって予め設定された所定の条件が、ＲＲＣメッセージ受信器１０１によって受信される無線リソース制御メッセージは、指示情報を備え、かつ、指示情報は、端末１０がマルチメディア・ブロードキャスト・マルチキャスト・サービス受信状況メッセージを送信することを必要とされることを示し、かつ、ＲＲＣメッセージ受信器１０１によって以前に受信された無線リソース制御メッセージは、指示情報を備えていないことであるとすれば、この実施形態では、ＲＲＣメッセージ受信器１０１によって受信されるＭＢＳＦＮＡｒｅａＣｏｎｆｉｇｕｒａｔｉｏｎメッセージが、ユーザ機器１０が電源をオンにされた後に初めて受信、または、ユーザ機器１０が新しいセルへハンドオーバされるときに新しい基地局から初めて受信されないが、基地局２０との通常の通信において受信され、かつ、ＭＢＳＦＮＡｒｅａＣｏｎｆｉｇｕｒａｔｉｏｎメッセージの内容が、セッションＩＤ１、セッションＩＤ３およびセッションＩＤ５を備え、かつ、それらの対応する受信状況レポート・インジケータ・フィールド、例えば、場合によっては１ビットまたは１バイト変数が、ブール値の形式でそれぞれＴＲＵＥ、ＦＡＬＳＥおよびＴＲＵＥに設定され、かつ、ＲＲＣメッセージ受信器１０１によって以前に受信されたＭＢＳＦＮＡｒｅａＣｏｎｆｉｇｕｒａｔｉｏｎメッセージが、セッションＩＤ３およびセッションＩＤ５のみを備え、かつ、セッションＩＤ３およびセッションＩＤ５に対応する受信状況レポート・インジケータ・フィールドが、ブール値の形式でそれぞれＴＲＵＥおよびＴＲＵＥに設定される場合、所定条件判定モジュール１０３は、ＭＢＳＦＮＡｒｅａＣｏｎｆｉｇｕｒａｔｉｏｎメッセージによって示された電子チャネル１が、この実施形態における所定の条件を満たしており、かつ、電子チャネル３および５がこの実施形態における所定の条件を満たしていないと判定する。
【００６５】
次に、ＭＢＭＳ受信状況メッセージ送信器１０４は、新たに作成されたＭＢＭＳＲｅｃｅｐｔｉｏｎＳｔａｔｕｓＲｅｐｏｒｔメッセージを、マルチメディア・ブロードキャスト・マルチキャスト・サービス受信状況メッセージとして使用して、ユーザ機器１０によって受信されている１つまたは複数のマルチメディア・ブロードキャスト・マルチキャスト・サービスを識別するようにしてもよい。この実施形態では、ユーザ機器１０によって受信されているＭＢＭＳは、電子チャネル１、電子チャネル２および電子チャネル３である。ＭＢＭＳ受信状況メッセージ送信器１０４は、判定の結果に従って、電子チャネル１の指示情報、例えば、電子チャネル１のセッション識別子であるセッションＩＤ１を、ＭＢＭＳＲｅｃｅｐｔｉｏｎＳｔａｔｕｓＲｅｐｏｒｔメッセージ／シグナリングにおいて基地局２０へ送信するように選択することができる。
【００６６】
前述の実施形態は、例示的でしかなく、本発明を限定するためのものではないことに留意されたい。本発明の精神から逸脱することのない、いかなる技術的解決策も、有利に任意の構成の組み合わせにおいて構成されるような異なる実施形態において現れる異なる技術的解決策の使用を含めて、本発明の範囲に入るものとする。また、特許請求の範囲におけるいかなる参照番号も、問題の特許請求の範囲を限定するように解釈されるものではなく、「備える」という用語は、他の請求項（複数可）または説明に記載されている別のデバイス（複数可）またはステップ（複数可）を排除することはなく、デバイスの前の「ａ」または「ａｎ」は、複数のそのようなデバイスの存在を排除することはなく、装置に含まれた複数のデバイスのうち１つまたは複数の、１つまたは複数の機能は、ハードウェアまたはソフトウェアにおける同じデバイスによって行うことができ、「第１の」、「第２の」、「第３の」などの用語は、名称を指定するようにのみ意図され、いかなる特定の順序も示唆しないように意図される。
【図２】
2013533684.tif 000003
【図３】
2013533684.tif 000004
【図４】
2013533684.tif 000005
【図５】
2013533684.tif 000006
【図６】
2013533684.tif 000007
【図７】
2013533684.tif 000008
【図１】
2013533684.tif 000009
【国際調査報告】
2013533684.tif 000010
2013533684.tif 000011
2013533684.tif 000012
2013533684.tif 000013